(57)【要約】【課題】支持体を被覆するパネル部材の構成や組み合わせを、複数パターンのうちから選択できるようにカスタマイズ化し、購入者の好みや設置場所或いはコストに応じて、様々な外観化粧を形成することができるパネルの取付構造を提供する。【解決手段】起立させて設けた複数の支柱１と、支柱１間に両側端を支持させた座２とを具備する椅子Ｃにおいて、支柱１を被覆するパネル部材が、主として支柱１の前方を被覆する第１パネル部材４又は８、及び主として支柱１の側方を被覆する第２パネル部材５の少なくとも一方を用いてなるものであり、少なくとも第１パネル部材４又は８が、所定箇所に形成したスリットＳを利用して屈曲または湾曲可能に設定された一枚の板状の部材であり、第１パネル部材４又は８及び第２パネル部材５の何れか一方または両方を支柱１に選択的に取り付けるようにした。【選択図】図１
2004166874.tif 000002
【特許請求の範囲】
【請求項１】
起立させて設けた一対の支持体と、当該支持体に両側端を支持させた被支持体とを具備する構造物において、前記支持体を被覆するパネル部材を起立姿勢で前記支持体に取り付ける際に適用されるパネル部材の取付構造であって、
前記パネル部材が、主として前記支持体の前方を被覆する第１パネル部材、及び主として前記支持体の側方を被覆する第２パネル部材の少なくとも一方を用いてなるものであり、
少なくとも前記第１パネル部材が、所定箇所に形成したスリットを利用して屈曲または湾曲可能に設定された一枚の板状の部材であり、
当該第１パネル部材及び前記第２パネル部材の何れか一方または両方を前記支持体に選択的に取り付けることを特徴とするパネル部材の取付構造。
【請求項２】
前記第１パネル部材が、主として前記支持体の前方及び一側方を被覆するものであり、前記第２部材が、主として前記支持体の他側方を被覆するものであることを特徴とする請求項１記載のパネル部材の取付構造。
【請求項３】
前記第１パネル部材が、前記スリットを利用して屈曲または湾曲した状態において、内向面側に位置する芯材と、外向面側に位置する化粧材とを一体的に具備するものであり、
前記スリットが、前記芯材の所定箇所に高さ方向に沿って形成され、その開口寸法を前記内向面に向かって漸次大きくなるように設定したものであることを特徴とする請求項１又は２記載のパネル部材の取付構造。
【請求項４】
前記スリットが、平断面視略三角形状のものであること特徴とする請求項１、２又は３記載のパネル部材の取付構造。
【請求項５】
前記スリットが、平断面視略台形状のものであり、当該スリットの頂辺に対応する前記芯材の領域に、複数の凹凸からなる平面視鋸歯形状の鋸歯部を高さ方向に沿って連続して形成していることを特徴とする請求項１、２又は３記載のパネル部材の取付構造。
【請求項６】
前記第１パネル部材を、前記支持体の前方に持ち出した位置に取り付けていることを特徴とする請求項１、２、３、４又は５記載のパネル部材の取付構造。
【請求項７】
前記第１パネル部材が、所定の２箇所に形成した前記スリットを利用して屈曲または湾曲可能に設定したものであり、当該第１パネル部材を屈曲または湾曲させることにより内向面側に形成される空間に、前記支持体に取り付けた取付状態において前記支持体に当たる当たり部を設けた保形部材を配置し、前記当たり部を前記支持体に当てるようにして第１パネル部材を前記支持体に取り付けることを特徴とする請求項１、２、３、４、５又は６記載のパネル部材の取付構造。
【請求項８】
前記第１パネル部材及び第２パネル部材の両方を前記支持体に取り付けた状態において、両パネル部材の接ぎ目に目地材を配置していることを特徴とする請求項１、２、４、５、６又は７記載のパネル部材の取付構造。
【請求項９】
前記目地材が、第１パネル部材又は第２パネル部材の一端部に一体的に設けたものであるることを特徴とする請求項８記載のパネル部材の取付構造。
【請求項１０】
前記被支持体が座であるとともに、前記構造物が椅子であることを特徴とする請求項１、２、３、４、５、６、７、８又は９記載のパネル部材の取付構造。
【請求項１１】
請求項１乃至１０記載のパネル部材の取付構造を利用したものであって、起立させて設けた一対の支持体と、当該支持体間に支持された座とを具備する椅子であり、
主として前記支持体の前面側を被覆する第１パネル部材、及び主として前記支持体の側方を被覆する第２パネル部材の何れか一方又は両方を前記支持体に選択的に取り付けてなること特徴とする椅子。
【請求項１２】
前記支持体を間欠的に複数設けるとともに、前記座を起き上がり可能に各支持体間に支持させてなる椅子であることを特徴をする請求項１１記載のパネル部材の取付構造。
【請求項１３】
両端に位置する支持体に、主として前記支持体の前方及び一側方を被覆する第１パネル部材、及び主として前記支持体の他側方を被覆する第２パネル部材を取り付けていることを特徴とする請求項１１又は１２記載の椅子。
【発明の詳細な説明】
【０００１】
【発明の属する技術分野】
本発明は、椅子等の構造物の支持体に、パネル部材を取り付けるパネル部材の取付構造、及び当該パネル部材の取付構造を採用してなる椅子に関するものである。
【０００２】
【従来の技術】
従来、劇場等に用いられる椅子として、床体に複数の支持体を固定して設け、座や背の側端部をこの支持体間に支持させる構成のものが考えられている（例えば特許文献１参照）。そして、このような椅子の各支持体を、例えば、一対の側板部材を所定間隔を隔てて平行に配置することにより構成し、その間に少なくとも前方及び上方に開口する空間を設け、当該空間にメモ台を収納し得るようにしているものがある（例えば特許文献２参照）。また、メモ台を取り付けていない仕様の支持体は、前方の開口を被覆するために、側板部材同士を接続するように前面に前板部材を配置してなるものが考えられる。そして、側板部材及び前板部材の表面に印刷や塗装を施すことによって良好な外観を形成するようにしている。
【０００３】
【特許文献１】
特開平７−１９４４６３号公報（第３頁、第１図、第２図）
【特許文献２】
特開平１１−４６９２３号公報（第３頁、第１図、第２図、第５図）
【０００４】
【発明が解決しようとする課題】
ところが、このようなものは、各支持体を全て同じ部材を用いて構成しているため、購入者の好みや椅子の設置場所等に合わせて、各部材の構成や組み合わせを選択したり、または、いずれか１の部材を用いて支持体を構成することは構成上不可能である。そこで、例えば、支持体として支柱を用いるとともに、前記前板部材や側板部材を、支柱の前方及び側方を被覆するパネル部材として用いる態様も考えられる。しかしながら、この場合、パネル部材の構成や組み合わせは、ある程度規格化されているものが通例であり、購入者のニーズ等に応じてパネル部材の構成等を変更することにより、種々の外観を形成することは想定されていない。そのため、購入者の要望に柔軟に対応できないという不具合を生じる。また、前記各パネル部材はそれぞれ屈曲または湾曲不能の平板状のものであるため、例えば、支柱の前方及び側方を被覆する場合には、前板部材の両側端に一対の側板部材を一体的に取り付けなければならず、製作工程が必然的に増加するとともに、取付作業が煩雑になるという不具合を生じる。
【０００５】
本発明は、このような課題に着目してなされたものであって、その主たる目的は、支持体を被覆するパネル部材の構成や組み合わせを、複数パターンのうちから選択できるようにカスタマイズ化し、購入者の好みや設置場所或いはコストに応じて、様々な外観化粧を形成することができるパネルの取付構造を提供することにある。
【０００６】
【課題を解決するための手段】
すなわち、本発明のパネル部材の取付構造は、起立させて設けた一対の支持体と、当該支持体に両側端を支持させた被支持体とを具備する構造物において、前記支持体を被覆するパネル部材を起立姿勢で前記支持体に取り付ける際に適用されるパネル部材の取付構造であって、前記パネル部材が、主として前記支持体の前方を被覆する第１パネル部材、及び主として前記支持体の側方を被覆する第２パネル部材の少なくとも一方を用いてなるものであり、少なくとも前記第１パネル部材が、所定箇所に形成したスリットを利用して屈曲または湾曲可能に設定された一枚の板状の部材であり、当該第１パネル部材及び前記第２パネル部材の何れか一方または両方を前記支持体に選択的に取り付けることを特徴とする。
【０００７】
このようなものであれば、パネル部材の構成を、第１パネル部材又は第２パネル部材の何れか一方のみからなるパターン、又は両方を組み合わせてなるパターンの少なくとも３パターンから選択できるようにカスタマイズ化しているため、設置する場所やコスト、購入者・使用者の嗜好等に応じてパネル部材を所望のパターンで支持体に取り付けることができ、様々な要望に応え得る外観を形成することができる。しかも、第１パネル部材及び第２パネル部材の表面化粧を工夫することによって、統一感や高級感、またはレトロ感のある外観等、バリエーション豊かな外観を容易に形成することができ、実用性の高いものとすることができる。また、第１パネル部材が屈曲または湾曲可能に設定された一枚の部材であるので、支持体の前方及び、少なくとも前方側の側縁を１枚の第１パネル部材を用いて被覆することが可能となり、さらに、第１パネル部材の形状を適宜変更することによって、支持体の前方及び側方を被覆することも可能となり、３枚の板状の部材を組み合わせて支柱の前方及び側方を被覆する前例の場合と比較して、製作工程の簡素化及びコストの削減を有効に図ることができる。
【０００８】
また、第１パネル部材が、主として前記支持体の前方及び一側方を被覆するものであり、前記第２部材が、主として前記支持体の他側方を被覆するものであれば、外観がさほど気にならない支持体の後方以外の表面を上記各パネル部材を１枚ずつ用いて被覆することができ、１枚の第１パネル部材と、２枚の第２パネル部材の計３枚の組み合わせて取り付ける場合と比較して、部品点数の削減を有効に図るとともに、取付作業を簡便に行うことができる。
【０００９】
特に、前記第１パネル部材が、前記スリットを利用して屈曲または湾曲した状態において、内向面側に位置する芯材と、外向面側に位置する化粧材とを一体的に具備するものであり、前記スリットが、前記芯材の所定箇所に高さ方向に沿って形成され、その開口寸法を前記内向面に向かって漸次大きくなるように設定したものであるものが好ましい。このようにすれば、芯材にスリットを形成するという極めて簡単な作業によって、前記第１パネル部材をスリットが存在する箇所で屈曲又は湾曲可能なものとすることができる。また、芯材と化粧材からなる二重構造を採用することによって、化粧材で外向面を保護することができ、スリットを設けた場合に芯材が分裂し得るという不具合を効果的に解消できるとともに、第１パネル部材自体の強度を高めることができ、好適に使用することができる。さらに、前記スリットの開口寸法を前記内面に向かって漸次大きくなるように設定していれば、開口縁同士を相近付けるようにすることにより、有効な折り曲げ角度を実現することができる。また、例えば、前記化粧材がある程度柔軟性のあるものであれば、屈曲または湾曲作業をよりスムーズに行うことができ、使い勝手に優れたものとなる。加えて、化粧材に印刷、塗装を施すことで所望の外観を具現することが可能となる。
【００１０】
特に、前記スリットが、平断面視略三角形状のいわゆるＶ溝であれば、対向する開口縁同士を隙間なく略密接させることができ、折り曲げた部位の強度を有効に高めることができる。また、例えば、前記略三角形状の頂点の角度、すなわち対向する開口縁が交叉する角度を略９０度に設定すれば、当該スリットを利用して略直角に折り曲げることができる。また、対向する開口縁が交叉する角度を任意に変更することによって、折り曲げ角度を所望の角度に調節することができる。
【００１１】
一方、前記スリットが、平断面視略台形状のものであり、当該スリットの頂辺に対応する前記芯材の領域に、複数の凹凸からなる平面視鋸歯形状の鋸歯部を高さ方向に沿って連続して形成しているものであれば、当該スリットを利用して第１パネル部材を折り曲げようとした場合、前記鋸歯部を構成する相隣接する各凹凸が互いに密接し、対向する開口縁の一部が当たることになる。その結果、第１パネル部材の鋸歯部に相当する部位が外観上湾曲状になり、当該部位の外観をより好適なものとすることができる。また、このように湾曲するものは特に安全性に優れ、より実用的なものである。
【００１２】
また、前記第１パネル部材を、前記支持体の前方に持ち出した位置に取り付けているものであれば、支持体の側面視形状に依存することなく、構造物の外観をある程度自由に形成することができる。例えば、支持体の側面視巾寸法を比較的小さく設定した場合であっても、第１パネル部材の側面視巾寸法を大きく設定すれば外観上の安定感や高級感を容易に醸し出すことができる。このように、第１パネル部材の形状を適宜設定することによって、構造物の外観を良好なものとすることができる。また、支持体に、その外観を考慮することなく、支持強度を高めるための構造を採用することができるため、実質的な安定性を損なうことなく支持体本来の機能を付与することができる。
【００１３】
具体的な実施態様としては、前記第１パネル部材が、所定の２箇所に形成した前記スリットを利用して折り曲げ可能に設定したものであり、当該第１パネル部材を折り曲げることにより内向面側に形成される空間に、前記支持体に取り付けた取付状態において前記支持体に当たる当たり部を設けた保形部材を配設し、前記当たり部を前記支持体に当てるようにして第１パネル部材を前記支持体に取り付けるものが考えられる。このようにすれば、前述の効果を担保しつつ、保形部材によって第１パネル部材の折り曲げた状態を維持することができるとともに、第１パネル部材に、外部から衝撃等を受けた場合であっても簡単に変形し難い適度な強度を付与することができる。また、当該保形部材の当たり部を支持体に当てることによって、保形部材及び第１パネル部材と支持体との取付状態を良好なものとすることができる。
【００１４】
第１パネル部材及び第２パネル部材の両部材を支持体に取り付けた場合に、両部材間に生じ得る隙間を隠蔽し、好適な外観を形成するためには、両部材の接ぎ目に目地材を配置すればよい。
【００１５】
特に、前記目地材が、第１パネル部材又は第２パネル部材の一端部に一体的に設けたものであれば、両部材を接合する作業により、目地材を両部材間に位置させることができ、目地材の取付作業を簡単に行うことができ、使い勝手に優れたものとなる。
【００１６】
具体的には、前記被支持体が座であるとともに、前記構造物が椅子であるものが好ましい。
【００１７】
また、本発明に係る椅子は、上記のパネル部材の取付構造を利用したものであって、起立させて設けた一対の支持体と、当該支持体間に支持された座とを具備する椅子であり、主として前記支持体の前面側を被覆する第１パネル部材、及び主として前記支持体の側面を被覆する第２パネル部材の何れか一方又は両方を前記支持体に選択的に取り付けてなること特徴とする。
【００１８】
このようなものであれば、使用者の嗜好やコスト面等に合わせて、複数のパターンから選択して所望の外観を形成することができる。また、各パネル部材の表面に印刷等を施すことにより適宜の質感を有する外観とすることができ、実用的な椅子とすることができる。
【００１９】
また、劇場等に配置され好適に使用することができる椅子としては、前記支持体を間欠的に複数設けるとともに、前記座を起き上がり可能に各支持体間に支持させてなるものであり、両端に位置する支持体に、主として前記支持体の前方及び一側方を被覆する第１パネル部材、及び主として前記支持体の他側方を被覆する第２パネル部材を取り付けているものが挙げられる。このようにすれば、並列に複数の椅子を設置することができ、支持体の配置箇所に応じて、部品点数の削減を有効に図ることができる。
【００２０】
【発明の実施の形態】
以下、本発明の一実施形態に係るパネル部材の取付構造、並びにパネル部材の取付構造を採用した椅子Ｃについて図面を参照して説明する。
【００２１】
先ず、上記取付構造を採用する椅子Ｃについて説明する。
【００２２】
この椅子Ｃは、図１、図２に示すように、劇場等で好適に用いられるものであり、主として、間欠的に起立させて複数設けた本発明の支持体たる支柱１と、相隣接する支柱１に両側端を支持させた座２と、座２と同様に相隣接する支柱１に両側端を支持させた背３とから構成される。なお、以下の説明において、椅子Ｃに着座した着座姿勢における正視方向を前方とする。
【００２３】
支柱１は、図３に示すように、例えばアルミダイキャスト製の角パイプ状を有する支柱本体１１と、床体Ｆの上面Ｆ１に接地する接地部１２と、前記座２を支持する座支持部１３とを備えている。支柱本体１１は、ねじ孔１１ａを側面の上端部に一対設けるとともに、ねじ孔１１ｂを側面の略中央部に１箇所設けている。また、前面１ａ側の下端部内面に板ナット１１ｃを備えている。さらに、上端部の内空に肘掛け固定部材Ｅを、その上面を支柱本体１１の上端と面一になるように適宜の手段で取り付けている。接地部１２は、支柱本体１１の下端に位置し、所定の肉厚を有する平面視略小判形状のものであり、前後両端部近傍に肉厚方向に貫通する貫通孔１２ａを設けている。この接地部１２の平面視略中央部に前記支柱本体１１を起立させて溶接等して固定している。座支持部１３は、支柱本体１１の両側面の高さ方向中央部より若干下端側に設けたものであり、側面視略Ｌ字形状の係合鈎部１３ａと、側面視略下向きコ字形状に折り曲げ成形し、係合鈎部１３ａを上方及び前後方から被覆する被覆部１３ｂとを溶接等して一体的に備えたものである。この座支持部１３は、所定箇所に溶接等を施すことにより支柱本体１１に固定している。また、両端に位置する支柱１は、座支持部１３を内向面側にのみ設けている。なお、両端の支柱１において、座２が位置する側方を内向面側、座２が位置しない側方を外向面側とする。
【００２４】
座２は、図１、図２に示すように、着座者が着座し得る座面２１ａを有し、底面側に開口する中空の例えばウレタン素材等からなる座本体２１と、前記開口を被覆する薄板状の座裏部材２２と、座本体２１の後端部の両側面から側方に突出させ、前記座支持部１３の係合鈎部１３ａに取付可能に設けた一対の取付軸２３とを具備する。
【００２５】
背３は、図１、図２に図示するように、着座姿勢おいて着座者の背が当たり得る例えばウレタン素材等からなる背本体３１と、背本体３１の背面側に起立姿勢で取り付けられる例えば中質繊維材からなる背合板３２とを一体的に備えたものである。なお、背本体３１及び前記座本体２１の表面には例えば同じ色調の化粧クロスを縫着している。また、背合板３２と座裏部材２２の表面は同基調のシートを貼り付けている。
【００２６】
次に、これら各部材を用いて椅子Ｃを組み立てる方法を、図１〜図４等を参照して簡単に説明する。なお、図４及び後述する図８は、説明の便宜上、座２を省略するとともに、背３を想像線で示している。
【００２７】
先ず、各支柱１を、座２及び背３の巾寸法に対応させて所定距離離間して床体Ｆの上面Ｆ１に固定する。具体的には、接地部１２に形成した貫通孔１２ａと、床体Ｆに設けた図示しないアンカのねじ孔とを重合し、ボルト（図示省略）を貫通孔１２ａに挿通し、前記ねじ孔にねじ合わせすることにより、支柱１を床体Ｆに固定するようにしている。そして、このように設置した支柱１の側面に形成した座支持部１３の係合鈎部１３ａに、座２の取付軸２３を支持させるようにして支柱１と座２とを一体的に取り付ける。この取付状態において、座２を取付軸２３を中心に回動させることにより、座面２１ａが上向きをなす使用位置Ｏと、座面２１ａが後向きをなす収納位置Ｐとの間でライジング動作を行えるように構成している。一方、背本体３１を一体的に設けた背合板３２の両側端部を背取付部材Ｄに適宜の手段で固定し、この背取付部材Ｄを、支柱本体１１に設けたねじ孔１１ａ、１１ｂにボルトＢ２を締着して支柱１に固定することにより、背３と支柱１とを一体的に取り付ける。
【００２８】
しかして、本実施形態においては、主として支柱１の前方を被覆する第１パネル部材４、及び主として支柱１の側方を被覆する第２パネル部材５を支柱１に取り付けている。
【００２９】
第１パネル部材４は、図５、図６等に示すように、前記支柱本体１の前面の巾寸法に略対応するように離間して形成した一対のスリットＳを利用して、図５（ａ）における矢印の方向に折り曲げ可能に設定した一枚の板状の部材である。この第１パネル部材４は、支柱本体１１と略同じ高さ寸法を有するものであり、折り曲げた状態（同図（ｂ））において、内向面側に位置する例えば中質繊維材からなる芯材４１と、外向面側に位置し、柔軟性を有する例えばＰＥＰシート（登録商標）からなる化粧材４２とから構成されている。そして、支柱１の前方を被覆し得る前方被覆部４３と、前方被覆部４３の両端から連続する一対の側方被覆部４４とを有するものである。
【００３０】
スリットＳは、芯材４１の高さ方向に沿って形成され、その開口寸法を前記内向面に向かって漸次大きくなるように設定した平面視略三角形状をなす、いわゆるＶ溝である（同図（ａ）参照）。また、対向する一対の開口縁Ｓ１が交叉する角度Ａを略９０度に設定している。このように設定することにより、各開口縁Ｓ１を密着させるようにして第１パネル部材４を折り曲げた場合、その折り曲げ角度が直角となる。また、第１パネル部材４を折り曲げることにより内向面側に形成される空間に、第１パネル部材４の平面視略コ字形状の折り曲げ状態を保形する保形部材６を設けている（図６参照）。
【００３１】
保形部材６は、図４、図６及び図７等に示すように、第１パネル部材４の高さ寸法より小さい高さ寸法を有し、略四角柱状の例えばナラ材からなるものであり、背面６ｂの下端部に、他の背面６ｂの領域より後方に突出し、支柱１に取り付けた場合に支柱本体１１の前面１ａに当たる当たり部６１を設けている。保形部材６と第１パネル部材４との取り付けは、保形部材６の上端を第１パネル部材４の上端に略一致させ、保形部材６の前面６ａに前方被覆部４３を密着させるとともに、保形部材６の両側面６ｃに側方被覆部４４を略密着させるように適宜箇所を接着等して行う。また、第１パネル部材４及び保形部材６の下端部に、第１パネル部材４及び保形部材６の当たり部６１を前後方向に貫通するねじ挿通孔４６を形成している（図６参照）。なお、第１パネル部材４の前面にボルトＢ１の頭部を突出させないために、ねじ挿通孔４６の周囲には、前方へ開口しボルトＢ１の頭部を収容し得るザグリ穴を形成している。また、第１パネル部材４及び保形部材６の上端に例えばナラ材からなる肘掛け７を適宜の手段で一体的に取り付けている。
【００３２】
第２パネル部材５は、第１パネル部材４と同様に、例えば中質繊維材からなる芯材と、柔軟性を有する例えばＰＥＰシート（登録商標）からなる化粧材とを具備する一枚の板状の部材であり、側面視略台形状をなすものである（図４参照）。第２パネル部材５は、支柱本体１１の上端から座支持部１３の上面までの高さ寸法より若干小さい高さ寸法を有するものであり、上端近傍にねじ挿通孔５１を形成している。また、前縁の略全域に亘って目地材５２を一体的に設けている。この目地材５２は、図７に図示するように、例えばゴム等の弾性素材からなる平面視略Ｉ字形状のものであり、対向する一対の狭持壁５２ａによって第１パネル部材４の側方被覆部４４の後縁近傍を狭持し得るように設定してなるものである。
【００３３】
次に、第１パネル部材４及び第２パネル部材５の支柱１への取付手順について説明する。なお、本実施形態においては、両端に位置する支柱１と、中央に位置する支柱１とでは、用いるパネル部材及びその取付方法が多少異なる。そこで、先ず、中央に位置する支柱１への各パネル部材の取付手順から図４及び図７を参照して説明する。
【００３４】
予め、床体Ｆに固定した支柱１の前方に、保形部材６及び肘掛け７を一体的に備えた第１パネル部材４を持ち来し、肘掛け７を保形部材６及び支柱本体１１の上面に載置するとともに、第１パネル部材４の下端を接地部１２の上面に載置する。そして、支柱本体１１の前面１ａに、保形部材６の当たり部６１を押し当て、第１パネル部材４の前方からねじ挿通孔４６に挿入したボルトＢ１を、支柱本体１１に設けた板ナット１１ｃに締着することによって、第１パネル部材４及び保形部材６を支柱１に取り付けるようにしている。なお、ボルトＢ１の頭部を隠蔽するために、キャップＫを取り付けている。また、肘掛け固定部材Ｅを介して肘掛け７を支柱１に対して相対移動を規制するように固定する。次いで、第２パネル部材５を、支柱１の一方の側方に持ち来する。そして、第１パネル部材４の側方被覆部４４の後縁部近傍を目地材５２の狭持壁５２ａによって狭持させるようにして、第２パネル部材５を第１パネル部材４に密着させ、側方からねじ挿通孔５１に挿入したボルトＢ２を、支柱本体１１に設けたねじ孔１１ａに締着することによって、第２パネル部材５を支柱１に取り付けるようにしている。支柱１の他方の側方にも、上記と同じ手順で第２パネル部材５を取り付ける。
【００３５】
次に、両端に位置する支柱１への各パネル部材の取付手順について図８及び図９を参照して説明する。
【００３６】
両端に位置する支柱１の前方及び外面側の側方には、前記第１パネル部材４を若干変形させたパネル部材８を取り付けてなる。
【００３７】
この第１パネル部材８は、図９に図示するように、スリットＳを利用して折り曲げた状態において、側面被覆部８４によって支柱１の外向面側の側方を被覆し得るように、一方の側方被覆部８４の巾寸法を他方の側方被覆部８４の巾寸法より大きく設定してなるものである。その他の構成は前記第１パネル部材４とほぼ同様のものである。また、折り曲げた空間に前記保形部材６を設けるとともに、前記側方被覆部８４の略中央部から後端に亘る領域に第２保形部材９を接着等して一体的に設けている。この第２保形部材９は、背面９ａを、上端部から下端部に向かって漸次前方に傾斜するように設定し、下端部に、前方に開口する空間９Ｓを形成している。この第１パネル部材８を支柱１に取り付ける手順は、前記第１パネル部材４の取り付け手順とほぼ同様であり、以下の点のみ異なる。すなわち、第１パネル部材８に一体的に取り付けた第２保形部材９を、支柱１に固定されている背取付部材Ｄに近付けて、側方から背取付部材Ｄのねじ挿通孔Ｄ１に挿入したボルトＢ３を、第２保形部材９に設けた図示しない板ナットに締着することによって、第１パネル部材８を支柱１に取り付けるようにしている。なお、この支柱１の内面側の側方には、第２パネル部材５を、前記中央に位置する支柱１への取付手順と同様の手順で取り付けている。なお、本実施形態においては、第１パネル部材４、８の化粧材４２、８２の基調を、背合板３２と座裏部材２２の表面に貼付したシートと同じ基調のものとしている。
【００３８】
以上のように、本実施形態に係るパネル部材の取付構造は、主として支柱１の前方を被覆する第１パネル部材４、主として支柱１の前方及び側方を被覆する第１パネル部材８、及び主として支柱１の側方を被覆する第２パネル部材５を選択的に組み合わせて、支柱に取り付けるようにしているため、設置する場所やコスト、購入者・使用者の嗜好等に応じて所望のパターンでパネル部材を支柱に取り付けることができ、様々な要望に応え得る外観を形成することができ、実用性の高いものとすることができる。また、第１パネル部材４又は８が、所定箇所に形成したスリットＳを利用して屈曲可能に設定された一枚の板状の部材であるため、３枚の板を組み合わせて支柱１の前方を被覆していた従来のパネル部材と比較して、製作工程の簡素化及びコストの削減を有効に図ることができる。
【００３９】
特に、前記第１パネル部材８が、主として前記支柱の前方及び一側方を被覆するものであり、前記第２部材５が、主として前記支柱の他側方を被覆するものであるので、外観がさほど気にならない支柱１の後方以外の外面を被覆する場合には、各部材８、５を１枚ずつ支柱へ取り付けるだけでよいため、部品点数の削減を有効に図ることができるとともに、取付作業を簡便に行うことができる。
【００４０】
特に、前記第１パネル部材４又は８が、スリットＳを利用して屈曲した状態において、内向面側に位置する芯材４１又は８１と、外向面側に位置する化粧材４２又は８２とを一体的に具備するものであるため、芯材４１又は８１にスリットＳを形成するという極めて簡単な作業によって、第１パネル部材４又は８をスリットＳが存在する箇所で屈曲可能なものとすることができる。また、芯材４１又は８１と化粧材４２又は８２とからなる二重構造を採用しているため、化粧材４２又は８２で外向面を保護することができ、スリットＳを設けた場合に芯材４１又は８１が分裂し得るという不具合を効果的に解消できるとともに、第１パネル部材４又は８自体の強度を有効に高めることができ、好適に使用することができる。また、スリットＳが、芯材４１又は８１の所定箇所に高さ方向に沿って形成され、その開口寸法を前記内向面に向かって漸次大きくなるように設定したものであるため、開口縁Ｓ１同士を相近付けるようにすることにより、有効な折り曲げ角度を実現することができる。また、化粧材４２又は８２がある程度柔軟性のある素材により成形されたものであるため、屈曲作業をよりスムーズに行うことができ、使い勝手に優れたものとなる。加えて、化粧材４１又は８１に印刷、塗装を施すことで、例えば、統一感や高級感、またはレトロ感のある外観等、所望の外観を容易に具現することができ、バリエーション豊かな外観を容易に形成することができる。
【００４１】
特に、スリットＳが、平断面視略三角形状の、いわゆるＶ溝であるため、対向する開口縁Ｓ１同士を隙間なく略密接させることができ、折り曲げた部位の強度を有効に高めることができる。また、本実施形態においては、前記略三角形状の頂点の角度Ａ、すなわち対向する開口縁Ｓ１が交叉する角度Ａを略９０度に設定しているため、当該スリットＳを利用して第１パネル部材４又は８を略直角に折り曲げることができる。
【００４２】
また、第１パネル部材４又は８を、保形部材６を介して支柱１の前方に持ち出した位置に取り付けているため、支柱１の側面視巾寸法を比較的小さく設定した場合であっても、第１パネル部材の側面視巾寸法を大きく設定すれば外観上の安定感や高級感を容易に醸し出すことができる。すなわち、支柱１の側面視形状に依存することなく、外観をある程度自由に形成することが可能となる。
【００４３】
さらに、第１パネル部材４又は８を折り曲げることにより内向面側に形成される空間に、支柱１に当たる当たり部６１を設けた保形部材６を配設し、当たり部６１を支柱１に当てるようにして第１パネル部材４又は８を支柱１に取り付けているため、保形部材６によって第１パネル部材４又は８の折り曲げた状態を好適に維持することができるとともに、第１パネル部材４又は８に適度な強度を付与することができる。また、当たり部６１を支柱１に当てることによって、保形部材６及び第１パネル部材４又は８と支柱１との取付状態を良好なものとすることができる。
【００４４】
特に、第２パネル部材５の前端部に目地材５２を一体的に設けているので、第１パネル部材４又は８に第２パネル部材５を接合するという簡単な作業により、両部材間に目地材５２を位置させることができ、両部材間に生じ得る隙間を隠蔽し、好適な外観を形成することができる。
【００４５】
また、本実施形態に係る椅子Ｃは、上記のパネル部材の取付構造を利用したものであって、間欠的に起立させて設けた３つの支柱１と、各支柱１間に支持されライジング可能に構成された２つの座２とを具備したものであり、両端に位置する支柱１に、前方及び外向面側の側方を被覆する第１パネル部材８、及び内向面側の側方を被覆する第２パネル部材５を取り付け、一方、他の支柱１に、前方を被覆する第１パネル部材４、及び各側方を被覆する第２パネル部材５を取り付けているものである。そのため、座３に干渉しないようにすることができるとともに、支柱１１の配置箇所に応じて、部品点数の削減を有効に図ることができる。
【００４６】
なお、本発明は上述した実施形態に限られるものではなく、各部の形状や具体的構成については、本発明の趣旨を逸脱しない範囲で種々変形が可能である。
【００４７】
例えば、両端に位置する支柱も、第１パネル部材４と、一対の第２パネル部材５を用いて被覆するようにしても勿論構わない。また、第１パネル部材又は第２パネル部材の何れか一方のみを用いて支持体の外面を被覆するようにしてもよい。さらには、各パネル部材の設計を適宜変更することによって、取り付け得る支柱が両端に位置するか否かに関わらず、全ての支柱に同じ組合せからなるパネル部材を取り付けることも可能である。
【００４８】
また、例えば、図１０に示すように、スリット１０Ｓが、平面視略台形状のものであり、スリット１０Ｓの頂辺に対応する芯材１０４１の領域に、複数の凹凸からなる平面視鋸歯形状の鋸歯部１０Ｓ２を高さ方向に沿って連続して形成しているものであってもよい。このようなスリット１０Ｓを利用して同図中の矢印の方向に折り曲げようとした場合、鋸歯部１０Ｓ２を構成する相隣接する各凹凸が次々と互いに密接するとともに、対向する開口縁１０Ｓ１の一部が当たることになる。その結果、鋸歯部１０Ｓ２に相当する部位が外観上湾曲状になり、当該部位の外観をより好適なものとすることができる。また、このように湾曲するものは特に安全性に優れたものであり、より実用的である。
【００４９】
また、目地材５２は、第１パネル部材４又は８に一体的に設けたものであってもよい。さらには、何れの部材にも付帯せず、別個独立の一部材として用いられるものであっても構わない。
【００５０】
また、スリットの対向する開口縁が交叉する角度を変更することによって、所望の屈曲角度または曲がり具合を具現することができ、被覆される対象物の形状に対応させることができる。
【００５１】
本実施形態における支柱や座等は、設置場所やコストに合わせてその個数を適宜増減して組み立てることができるのは勿論である。
【００５２】
また、支柱に支持される天板または棚板を有する机やラックにも、本実施形態に係るパネル部材の取付構造をすることも可能である。
【００５３】
その他、本発明の趣旨を損ねない範囲で種々に変更してよい。
【００５４】
【発明の効果】
以上説明したように本発明によれば、パネル部材の構成を、第１パネル部材又は第２パネル部材の何れか一方を取り付けるパターン、又は両方を取り付けるパターンの少なくとも３パターンから選択できるようにカスタマイズ化しているため、設置する場所やコスト、購入者・使用者の嗜好等に応じてパネル部材を所望のパターンで支持体に取り付けることができ、様々な要望に応え得る外観を形成することができる。しかも、第１パネル部材及び第２パネル部材の表面化粧を工夫することによって、統一感や高級感、またはレトロ感のある外観等、バリエーション豊かな外観を容易に形成することができ、実用性の高いものとすることができる。また、第１パネル部材が屈曲または湾曲可能に設定された一枚の部材であるので、支持体の前方及び、前方側の側縁を１枚の第１パネル部材を用いて被覆することが可能となり、３枚の板状の部材を組み合わせて支柱の前方及び側方を被覆する場合と比較して、製作工程の簡素化及びコストの削減を有効に図ることができる。
【図面の簡単な説明】
【図１】本発明の一実施形態に係る椅子を示す斜視図。
【図２】同正面図。
【図３】同実施形態における支柱の側面図。
【図４】図１におけるＱ方向から見た一部を省略して示す側面図。
【図５】同実施形態における第１パネル部材の構成説明図。
【図６】図実施形態における第１パネル部材等の側面図。
【図７】同４におけるｘ−ｘ線を一部省略して模式的に示す端面図。
【図８】図１におけるＲ方向から見た一部を省略して示す側面図。
【図９】同８におけるｙ−ｙ線を一部省略して模式的に示す端面図。
【図１０】同実施形態にパネル部材の変形例を示す図。
【符号の説明】
１…支持体（支柱）
２…座
４、８…第１パネル部材
４１、８１…芯材
４２、８２…化粧材
５…第２パネル部材
５２…目地材
６１…当たり部
６…保形部材
１０Ｓ２…鋸歯部
Ｃ…椅子
Ｓ…スリット
【図１】
2004166874.tif 000003
【図２】
2004166874.tif 000004
【図３】
2004166874.tif 000005
【図４】
2004166874.tif 000006
【図５】
2004166874.tif 000007
【図６】
2004166874.tif 000008
【図７】
2004166874.tif 000009
【図８】
2004166874.tif 000010
【図９】
2004166874.tif 000011
【図１０】
2004166874.tif 000012